(57)【特許請求の範囲】
【請求項１】
先端部に液体を吸引または排出する口部を有し、基端部が開放した有底筒状の外筒と、
前記外筒内に挿入されたガスケットと、
前記ガスケットを前記外筒の軸方向に沿って移動操作する押し子と、
前記外筒にその径方向に変位可能に設けられた第１の係合部と、前記押し子に設けられ、前記第１の係合部に係合し得る第２の係合部とを有し、前記ガスケットが前記外筒の底部に当接したときに、前記第１の係合部が前記外筒の径方向に変位して、前記第１の係合部と前記第２の係合部とが係合することにより、前記押し子が前記外筒の中心軸方向に移動するのを規制するロック手段とを備え、
前記ロック手段は、前記外筒の軸方向に対して垂直方向のみの一方向に変位可能に構成され、前記一方向に押圧操作されることにより、前記第１の係合部と前記第２の係合部との係合を解除する操作部を有し、
前記第１係合部と前記第２係合部とが係合している状態では、前記第１の係合部および前記第２の係合部は、前記操作部の押圧方向の延長線上に位置していることを特徴とするシリンジ。
【請求項２】
前記第１の係合部は、前記外筒の内側に突出した複数の突出部で構成され、
前記第２の係合部は、前記押し子の途中に設けられたフランジで構成されている請求項１に記載のシリンジ。
【請求項３】
前記ロック手段は、前記外筒の中心軸方向に互いに重ねられたリング状の１対の挟圧部材を有している請求項１または２に記載のシリンジ。
【請求項４】
前記１対の挟圧部材は、一方の挟圧部材の前記一方向での一方側の部分に少なくとも１つの前記突出部および前記弾性部が設けられ、他方の挟圧部材の前記一方向での他方側の部分に少なくとも１つの前記突出部および前記弾性部が設けられ、
前記一方の挟圧部材の前記弾性部が前記他方の挟圧部材に当接するとともに、前記他方の挟圧部材の前記弾性部が前記一方の挟圧部材に当接している請求項３に記載のシリンジ。
【請求項５】
前記外筒は、その基端外周部に設けられ、前記操作部の移動方向を前記一方向に規制するとともに、前記操作部を案内するガイド部を有している請求項１ないし４のいずれか１項に記載のシリンジ。
【請求項６】
前記ガイド部は、前記外筒の中心軸方向に沿って基端側に突出形成されている請求項５に記載のシリンジ。
【請求項７】
前記ロック手段は、リング状をなし、径方向の外側に向って突出形成された突起を有する１対の挟圧部材で構成され、
前記ガイド部は、前記一方向を厚さ方向とし、前記外筒の中心軸を介して対向する一対の板状部で構成され、
前記一対の板状部は、厚さ方向に貫通するとともに基端側に開放し、前記各突起が挿入される切り欠きをそれぞれ有している請求項６に記載のシリンジ。
【発明の詳細な説明】
【技術分野】
【０００１】
本発明は、シリンジに関するものである。
【背景技術】
【０００２】
例えば患者へ薬液等の液体を投与するのに用いるシリンジは、一般に、先端部に突出形成された口部を有する外筒と、外筒の基端部に形成されたフランジ（指当て部）と、外筒内に挿入されたガスケットと、ガスケットを外筒の軸方向に沿って移動操作する押し子とを備える。
【０００３】
従来、このようなシリンジとしては、ガスケットが外筒の所定位置よりも基端側へ移動しないように、押し子が外筒の軸方向に移動する範囲を制限するものが知られている（例えば、特許文献１参照）。
【０００４】
例えば、特許文献１に記載のシリンジは、ガスケットが外筒の軸方向での途中に位置する状態で、外筒側に設けられた係合部と、押し子に設けられた係合部とが係合することにより、その位置よりも基端方向に押し子が移動するのを防止する。
【０００５】
このような特許文献１に係るシリンジは、ガスケットが外筒の底部に当接する状態で押し子の移動を規制することができない。そのため、例えば、バイアル瓶内にシリンジ内の液体を注入する際に、バイアル瓶内の圧力が高まることによって、押し子が勝手に戻されてしまうという問題があった。
【０００６】
また、特許文献１の図２等には、押し子の基端側への移動の規制およびその解除の双方が可能な構成のシリンジが開示されているが、かかる構成のシリンジでは、押し子をその軸線回りに回転させるという操作を要し、操作性が悪いという問題がある。
【先行技術文献】
【特許文献】
【０００７】
【特許文献１】特開２００３−２６５６０７号公報
【発明の概要】
【発明が解決しようとする課題】
【０００８】
本発明の目的は、ガスケットが外筒の底部に当接した状態の維持およびその解除が簡単な操作で行うことができるシリンジを提供することにある。
【課題を解決するための手段】
【０００９】
このような目的は、下記（１）〜（７）の本発明により達成される。
（１）  先端部に液体を吸引または排出する口部を有し、基端部が開放した有底筒状の外筒と、
前記外筒内に挿入されたガスケットと、
前記ガスケットを前記外筒の軸方向に沿って移動操作する押し子と、
前記外筒にその径方向に変位可能に設けられた第１の係合部と、前記押し子に設けられ、前記第１の係合部に係合し得る第２の係合部とを有し、前記ガスケットが前記外筒の底部に当接したときに、前記第１の係合部が前記外筒の径方向に変位して、前記第１の係合部と前記第２の係合部とが係合することにより、前記押し子が前記外筒の中心軸方向に移動するのを規制するロック手段とを備え、
前記ロック手段は、前記外筒の軸方向に対して垂直方向のみの一方向に変位可能に構成され、前記一方向に押圧操作されることにより、前記第１の係合部と前記第２の係合部との係合を解除する操作部を有し、
前記第１係合部と前記第２係合部とが係合している状態では、前記第１の係合部および前記第２の係合部は、前記操作部の押圧方向の延長線上に位置していることを特徴とするシリンジ。
【００１１】
（２）  前記第１の係合部は、前記外筒の内側に突出した複数の突出部で構成され、
前記第２の係合部は、前記押し子の途中に設けられたフランジで構成されている上記（１）に記載のシリンジ。
【００１３】
（３）  前記ロック手段は、前記外筒の中心軸方向に互いに重ねられたリング状の１対の挟圧部材を有している上記（１）または（２）に記載のシリンジ。
（４）
前記１対の挟圧部材は、一方の挟圧部材の前記一方向での一方側の部分に少なくとも１つの前記突出部および前記弾性部が設けられ、他方の挟圧部材の前記一方向での他方側の部分に少なくとも１つの前記突出部および前記弾性部が設けられ、
前記一方の挟圧部材の前記弾性部が前記他方の挟圧部材に当接するとともに、前記他方の挟圧部材の前記弾性部が前記一方の挟圧部材に当接している上記（３）に記載のシリンジ。
【００１４】
（５）  前記外筒は、その基端外周部に設けられ、前記操作部の移動方向を前記一方向に規制するとともに、前記操作部を案内するガイド部を有している上記（１）ないし（４）のいずれかに記載のシリンジ。
（６）  前記ガイド部は、前記外筒の中心軸方向に沿って基端側に突出形成されている上記（５）に記載のシリンジ。
【００１５】
（７）  前記ロック手段は、リング状をなし、径方向の外側に向って突出形成された突起を有する１対の挟圧部材で構成され、
前記ガイド部は、前記一方向を厚さ方向とし、前記外筒の中心軸を介して対向する一対の板状部で構成され、
前記一対の板状部は、厚さ方向に貫通するとともに基端側に開放し、前記各突起が挿入される切り欠きをそれぞれ有している上記（６）に記載のシリンジ。
【発明の効果】
【００１６】
本発明によれば、ロック部材を押し子に装着した状態で、ガスケットが外筒の底部に当接したときに、ロック部材の係合部と外筒のフランジ部の外周部とが係合することにより、押し子が外筒の軸方向に移動するのを規制する。そのため、ガスケットが外筒の底部に当接した状態を維持することができる。
【００１７】
また、ロック部材の係合部が外筒の径方向に変位して、ロック部材の係合部と外筒のフランジ部の外周部とが係合する。そのため、押し子を回転操作することなく、押し子を押し込むだけの簡単な操作で、ガスケットが外筒の底部に当接した状態を維持することができる。
【００１８】
さらに、ロック部材の係合部を外筒の径方向に変位させることにより、ロック部材の係合部と外筒のフランジ部の外周部との係合を解除することができる。そのため、ガスケットが外筒の底部に当接した状態を維持したロック状態の解除を簡単な操作で行うことができる。
【図面の簡単な説明】
【００１９】
【図１】本発明のシリンジの実施形態を示す斜視図である。
【図２】図１に示すシリンジの外筒の基端部（ロック機構を外した状態での基端部）を示す斜視図である。
【図３】図１に示すシリンジのロック機構を示す斜視図である。
【図４】図３に示すロック機構の１対の挟圧部材を示す平面図である。
【図５】図１に示すシリンジのロック状態を示す縦断面図である。
【図６】図５に示すシリンジのロック状態の解除を説明するための図である。
【発明を実施するための形態】
【００２０】
以下、本発明のシリンジを添付図面に示す好適な実施形態に基づいて詳細に説明する。
図１は、本発明のシリンジの実施形態を示す斜視図、図２は、図１に示すシリンジの外筒の基端部（ロック機構を外した状態での基端部）を示す斜視図、図３は、図１に示すシリンジのロック機構を示す斜視図、図４は、図３に示すロック機構の１対の挟圧部材を示す平面図、図５は、図１に示すシリンジのロック状態を示す縦断面図、図６は、図５に示すシリンジのロック状態の解除を説明するための図である。
【００２１】
なお、以下では、説明の便宜上、図１、図５および図６中の右側を「先端」、左側を「基端（後端）」として説明を行う。
【００２２】
図１に示すように、シリンジ１は、外筒２と、外筒２内で摺動し得るガスケット６と、ガスケット６を外筒２の軸方向に沿って移動操作する押し子３と、前記外筒２の基端部に装着されたロック機構７とを備えている。
【００２３】
後に詳述するが、このようなシリンジ１において、ロック機構７は、ガスケット６が外筒２の底部に当接したときに、押し子３と係合して、押し子３が外筒２の軸方向に移動するのを規制する機能を有するものである。
【００２４】
以下、シリンジ１を構成する各部を順次説明する。
外筒２は、有底筒状の部材で構成され、その先端部、すなわち、先端側底部の中央部には、外筒２の胴部に対し縮径した口部２２が一体的に突出形成されている。この口部２２からは、薬液等の液体が吸引または排出される。また、口部２２には、図示しない穿刺針の基端部に設けられているハブが着脱自在に接続されるようになっている。
【００２５】
外筒２の基端部は、開放しており、外筒２の基端部、すなわち、外筒２の基端外周には、フランジ２３が一体的に形成されている（図２参照）。
【００２６】
このフランジ２３は、後述するロック機構７が装着される部位であり、外筒２の外側に突出する部分を有する。このフランジ２３の外筒２の径方向に沿った一方向での両端部に、後述するロック機構７の支持部材９の１対の爪９２が係合する。これにより、ロック機構７がフランジ２３に装着される。
【００２７】
また、フランジ２３は、外筒２の径方向に沿った一方向での前記両端部に、基端側に突出し、互いに平行な１対のガイド２４が設けられている。
【００２８】
この１対のガイド２４は、後述するロック機構７の１対の挟圧部材４ａ、４ｂの移動方向を外筒２の径方向に沿った一方向に規制するものである。
【００２９】
また、１対のガイド２４には、それぞれ、後述する挟圧部材４ａの突起４４ａと挟圧部材４ｂの突起４４ｂとが挿入される切り欠き２５が形成されている。これにより、各挟圧部材４ａ、４ｂの移動範囲が所定範囲に規制される。
また、外筒２の外周面には、液量を示す図示しない目盛りが付されている。
【００３０】
このような外筒２の構成材料としては、特に限定されず、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリロニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であり、かつ水蒸気透過性が低い点で、ポリプロピレン、環状ポリオレフィン、ポリエステルのような樹脂が好ましい。なお、外筒２の構成材料は、内部の視認性を確保するために、実質的に透明であるのが好ましい。
【００３１】
このような外筒２内には、弾性材料で構成されたガスケット６が挿入されている。ガスケット６の外周部には、複数（本実施形態では２つ）のリング状の突部が全周に亘って形成されており、これらの突部が外筒２の内周面に密着しつつ摺動することで、液密性をより確実に保持するとともに、摺動性の向上が図れる。
【００３２】
また、ガスケット６には、その基端面に開放する中空部が形成されている。この中空部は、後述する押し子３のヘッド部が嵌入される。ガスケット６の中空部の内面には、凹凸が形成されている。
【００３３】
ガスケット６の構成材料としては、特に限定されず、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００３４】
押し子３は、棒状の本体部３１を有している。
この本体部３１は、横断面が十文字状をなしている。すなわち、本体部３１は、周方向に等角度間隔で設けられ、径方向に突出するとともに押し子３の軸方向に沿って形成された４本のリブが形成されている。
【００３５】
本体部３１の先端側には、ガスケット６の中空部内に挿入され、ガスケット６と連結されるヘッド部が形成されている。ヘッド部の外周には、ガスケット６の中空部の内面の凹凸と嵌合し得る凹凸が形成されている。この嵌合により、ガスケット６と押し子３とが連結される。なお、ガスケット６と押し子３は、凹凸嵌合による連結に限らず、例えば螺合等により連結された構成、接着、融着等により固着された構成、一体成形された構成であってもよい。
【００３６】
また、本体部３１の基端側には、円盤状のフランジ３２が形成されている。
さらに、本体部３１の途中にも、フランジ３３が形成されている。
【００３７】
このフランジ３３は、押し子３を先端側に押し切ったときに、後述するロック機構７の複数の突出部４１ａ、４１ｂと係合する係合部（第２の係合部）である。
【００３８】
また、このフランジ３３の先端側の面には、凸湾曲した傾斜面３３１が形成されている。これにより、フランジ３３を先端側に円滑に押し切ることができる。
【００３９】
このような押し子３の構成材料としては、特に限定されず、前述した外筒２の構成材料として例示したものと同様のものを用いることができる。
【００４０】
ここで、ロック機構７について詳述する。
ロック機構７は、ガスケット６が外筒２の底部に当接したときに、押し子３のフランジ３３と係合して、押し子３が外筒２の軸方向に移動するのを規制する機能を有するものである。すなわち、ロック機構７および押し子３は、ガスケット６が外筒２の底部に当接したときに、押し子３が外筒２の軸方向に移動するのを規制するロック手段８を構成する。
【００４１】
また、ロック機構７は、その外形が外筒２の中心軸を介して互いに反対方向に突出した形状をなし、指当て部としての機能をも有する。したがって、使用者は、シリンジ１を使用する際は、ロック機構７の先端側に手指を掛けて使用する。すなわち、指当て部は、ロック機構７の先端側に設けられている。これに対し、後述する操作部４２ａ、４２ｂは、ロック機構７の外周部に設けられている。そのため、シリンジ１を使用する際に、ロック機構７に手指を掛けて使用しても、ロック機構７のロック操作および解除操作を邪魔せず円滑に行うことができる。
【００４２】
このようなロック機構７は、互いに重ねられた１対の挟圧部材４ａ、４ｂと、１対の挟圧部材４ａ、４ｂを重ねられた状態で外筒２に対し一括して支持する支持部材９とで構成されている。
【００４３】
１対の挟圧部材４ａ、４ｂは、それぞれ、リング状をなしている。そして、１対の挟圧部材４ａ、４ｂは、それぞれ、前述した１対のガイド２４に沿って移動可能に設けられている。すなわち、１対の挟圧部材４ａ、４ｂは、それぞれ、外筒２の径方向に沿った一方向に変位可能に設けられている。
【００４４】
また、挟圧部材４ａは、その外周部の一部に当該挟圧部材４ａを押圧操作する操作部４２ａを有する。同様に、挟圧部材４ｂは、その外周部の一部に当該挟圧部材４ｂを押圧操作する操作部４２ｂを有する。
【００４５】
この操作部４２ａ、４２ｂを押圧することにより、挟圧部材４ａ、４ｂが外筒２の中心軸に対し直交する方向、すなわち１対のガイド２４に沿った一方向に移動する。
【００４６】
また、挟圧部材４ａは、操作部４２ａと反対側の部分に、内側に突出した複数の突出部４１ａを有している。同様に、挟圧部材４ｂは、操作部４２ｂと反対側の部分に、内側に突出した複数の突出部４１ｂを有している。より具体的には、挟圧部材４ａの前記一方向での一方側の部分に複数の突出部４１ａが設けられ、挟圧部材４ｂの前記一方向での他方側の部分に複数の突出部４１ｂが設けられている。
【００４７】
そして、一方の挟圧部材４ａの複数の突出部４１ａと、他方の挟圧部材４ｂの複数の突出部４１ｂとは、外筒２の中心軸を介して対向して配置される。
【００４８】
各突出部４１ａ、４１ｂは、ガスケット６が外筒２の底部に当接したときに、押し子３のフランジ３３の外周部と係合する係合部（第１の係合部）である。
【００４９】
各突出部４１ａの基端側には、傾斜面４１１ａが形成され、同様に、各突出部４１ｂの基端側には、傾斜面４１１ｂが形成されている（図４参照）。これにより、ガスケット６が外筒２の底部に当接するまで押し子３を先端側へ円滑に移動させることができる。
【００５０】
さらに、挟圧部材４ａは、突出部４１ａと同じ側に、外周部から突出した弾性変形可能な１対の弾性部４３ａを有している。同様に、挟圧部材４ｂは、突出部４１ｂと同じ側に、外周部から突出した弾性変形可能な１対の弾性部４３ｂを有している。
【００５１】
そして、一方の挟圧部材４ａの各弾性部４３ａは、他方の挟圧部材４ｂの操作部４２ｂの内側の部分に当接し、これと同様に、当該他方の挟圧部材４ｂの各弾性部４３ｂは、当該一方の挟圧部材４ａの操作部４２ａの内側の部分に当接している。
【００５２】
このように１対の弾性部４３ａおよび１対の弾性部４３ｂが配置されていることにより、複数の突出部４１ａおよび複数の突出部４１ｂが外筒２の内側に付勢され、外力が付与されていない自然状態において、複数の突出部４１ａの先端と複数の突出部４１ｂの先端との間の距離が押し子３のフランジ３３の直径よりも若干小さくなる。
【００５３】
また、弾性部４３ａ、４３ｂの弾性力に抗して、複数の突出部４１ａと複数の突出部４１ｂとを互いに離間する方向に変位させることにより、複数の突出部４１ａの先端と複数の突出部４１ｂの先端との間の距離を押し子３のフランジ３３の直径よりも大きくすることができる。
【００５４】
また、挟圧部材４ａの外周部には、操作部４２ａが押圧される方向と直交する方向に突出する１対の突起４４ａが設けられている。同様に、挟圧部材４ｂの外周部には、操作部４２ｂが押圧される方向と直交する方向に突出する１対の突起４４ｂが設けられている。
【００５５】
そして、図示しないが、挟圧部材４ａの一方の突起４４ａと挟圧部材４ｂの当該一方の突起４４ａと同じ側の突起４４ｂとは、ともに前述した外筒２の一方の切り欠き２５内にその内側から挿入されている。同様に、挟圧部材４ａの他方の突起ａと挟圧部材４ｂの当該他方の突起ａと同じ側の突起ｂとは、ともに前述した外筒２の他方の切り欠き２５内にその内側から挿入されている。
【００５６】
このような１対の挟圧部材４ａ、４ｂを支持する支持部材９は、本体部９１と、本体部９１から先端側に突出する１対の爪９２とを有する。
【００５７】
本体部９１には、１対の挟圧部材４ａ、４ｂを基端側から覆うとともに、押し子３が挿通される開口部を有する環状をなしている。
【００５８】
この本体部９１から突出した１対の爪９２は、前述した外筒２のフランジ２３の先端側面に係合している。これにより、支持部材９が外筒２に対して固定されるとともに、１対の挟圧部材４ａ、４ｂが支持部材９により支持されている。
【００５９】
この支持部材９は、１対の挟圧部材４ａ、４ｂを前述した１対のガイド２４に沿って移動可能に支持している。
【００６０】
また、このようなロック機構７を構成する各部の構成材料としては、特に限定されず、前述した外筒２の構成材料として例示したものと同様のものを用いることができる。
【００６１】
以上のように構成されたロック手段８によれば、ガスケット６が外筒２の先端側底部に当接するまで押し子３を移動させたときに、まず、押し子３のフランジ３３の傾斜面３３１がロック機構７の各突出部４１ａの傾斜面４１１ａと接触しながら先端側へ移動することにより、複数の突出部４１ａが弾性部４３ａの弾性力に抗して外筒２の中心軸とは反対側に変位する。同様に、押し子３のフランジ３３の傾斜面３３１がロック機構７の各突出部４１ｂの傾斜面４１１ｂと接触しながら基端側へ移動することにより、複数の突出部４１ｂが弾性部４３ｂの弾性力に抗して外筒２の中心軸とは反対側に変位する。これにより、複数の突出部４１ａの先端と複数の突出部４１ｂの先端との間の距離が拡げられる。
【００６２】
そして、押し子３のフランジ３３が複数の突出部４１ａおよび複数の突出部４１ｂを越えると、複数の突出部４１ａ、４１ｂは、弾性変形した弾性部４３ａ、４３ｂの弾性力により外筒２の中心軸側に変位して、図５に示すように、フランジ３３の外周部の基端側の面に係合する。
【００６３】
このような複数の突出部４１ａ、４１ｂと押し子３のフランジ３３との係合により、押し子３が外筒２の軸方向に移動するのを規制する。すなわち、ガスケット６が外筒２の先端側底部に当接するまで押し子３を移動させたときに、複数の突出部４１ａ、４１ｂとフランジ３３との係合により、押し子３の軸方向での位置をロックすることができる。
【００６４】
このようなロック状態は、１対の挟圧部材４ａ、４ｂの操作部４２ａ、４２ｂに対して押し子３の中心軸側へ外力を付与することにより解除することができる。より具体的には、ロック状態において、操作者が１対の操作部４２ａ、４２ｂを互いに接近させるように力（図６中矢印ａで示す方向の力）を加えて摘まんだ状態で、押し子３を基端部側へ引くことにより、複数の突出部４１ａ、４１ｂとフランジ３３との係合を解除することができる。
【００６５】
このように、複数の突出部４１ａ、４１ｂとフランジ３３との係合を、外筒２の径方向での押圧操作により解除することができる。これにより、簡単な操作で、複数の突出部４１ａ、４１ｂとフランジ３３との係合を解除することができる。また、複数の突出部４１ａ、４１ｂとフランジ３３との係合を解除することにより、上述した操作を繰り返し行うことができる。
【００６６】
また、前述したような１対の挟圧部材４ａ、４ｂを備えるロック手段８は、小型なものとなり、シリンジ１の操作性を良好なものとすることができる。
【００６７】
以上説明したようなシリンジ１によれば、ガスケット６が外筒２の底部に当接したとき、複数の突出部４１ａ、４１ｂとフランジ３３とが係合することにより、押し子３が外筒２の軸方向に移動するのを規制する。そのため、ガスケット６が外筒２の底部に当接した状態を維持することができる。すなわち、押し子３を外筒２の先端側へ押し切ったときに、その状態をロックすることができる。
【００６８】
また、複数の突出部４１ａ、４１ｂが外筒２の径方向に変位して、複数の突出部４１ａ、４１ｂとフランジ３３とが係合する。そのため、押し子３を回転操作することなく、押し子３を押し込むだけの簡単な操作で、ガスケット６が外筒２の底部に当接した状態を維持することができる。
【００６９】
さらに、複数の突出部４１ａ、４１ｂを外筒２の径方向に変位させることにより、複数の突出部４１ａ、４１ｂとフランジ３３との係合を解除することができる。そのため、上記ロック状態の解除も、１対の操作部４２ａ、４２ｂを摘まみながら押し子３を基端側へ移動させるという簡単な操作で行うことができる。
【００７０】
特に、外筒２の内側に突出した複数の突出部４１ａ、４１ｂで構成され第１の係合部と、押し子３の途中に設けられたフランジ３３で構成された第２の係合部との係合により前述したようなロック状態を実現することにより、ロック手段８を小型化できるとともに、シリンジ１の操作性を良好なものとすることができる。
【００７１】
以上、本発明のシリンジを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００７２】
例えば、前述した実施形態では、第１の係合部が２対の突出部４１ａ、４１ｂで構成される場合を例に説明したが、第１の係合部を構成する突起の数は、これに限定されず、例えば、１つ以上３つ以下、または、５つ以上であってもよい。
【００７３】
また、前述した実施形態では、押し子３に設けられたフランジ３３の平面視形状が円形をなしているが、フランジ３３の平面視形状は、これに限定されず、例えば、四角形、五角形、六角形等の多角形をなしていてもよい。また、押し子に設けられる第２の係合部は、フランジ状をなすものに限定されず、例えば、押し子の中心軸側から外側に突出する少なくとも１つの突起であってもよい。
【００７４】
また、ロック機構７の外形は、前述したものに限定されない。ただし、ロック機構７の外形は、指当て部として機能し得る程度に外筒の中心軸を介して互いに反対方向に突出した形状をなすのが好ましい。なお、外筒に指当て部をロック機構とは別途設けてもよい。
【００７５】
また、本発明のシリンジは、例えば、予め外筒とガスケットとで囲まれた空間（貯液空間）に、薬液等が収納されたプレフィルドシリンジと、通常のシリンジとのそれぞれに適用することができる。
【符号の説明】
【００７６】
１          シリンジ
２          外筒
３          押し子
４ａ          挟圧部材
４ｂ          挟圧部材
６          ガスケット
７          ロック機構
８          ロック手段
９          支持部材
２２          口部
２３          フランジ
２４          ガイド
２５          切り欠き
３１          本体部
３２          フランジ
３３          フランジ
４１ａ          突出部
４１ｂ          突出部
４２ａ          操作部
４２ｂ          操作部
４３ａ          弾性部
４３ｂ          弾性部
４４ａ          突起
４４ｂ          突起
９１          本体部
９２          爪
３３１          傾斜面
４１１ａ          傾斜面
４１１ｂ          傾斜面
【図１】
0005843451.tif 000002
【図２】
0005843451.tif 000003
【図３】
0005843451.tif 000004
【図４】
0005843451.tif 000005
【図５】
0005843451.tif 000006
【図６】
0005843451.tif 000007